(57)【要約】      （修正有）【課題】音声、映像を記録するための監視システムで画像品質の低下を抑えることができる監視システムを内蔵したルームミラーを提供する。【解決手段】映像、音声を記録できるルームミラーは、ルームミラー１０と、ＣＭＯＳモジュールと、デジタル監視システム４０とによって構成する。デジタル監視システム４０はルームミラー１０に内蔵させる。デジタル監視システム４０は、集積回路４１と、カメラヘッド４２と、キー４４と、録音スイッチキー５０と、赤外線エミッタ５１と、ＡＶ出力端子５４とを含んでなる。カメラヘッド４２は鏡面１３を介して外部を撮影する。【選択図】図１
0003151687.tif 000002
【実用新案登録請求の範囲】
【請求項１】
ルームミラーと、ＣＭＯＳモジュールと、デジタル監視システムとによってなる映像、音声を記録できるルームミラーであって、
該ルームミラーは、ハウジングと、フレームと、鏡面とを含んでなり、該ハウジングには、メモリカード収納溝を形成してメモリカードスロットカバーを設けるとともに電源コード収納溝を設けて電源コード収納溝カバーを設け、かつキー溝と録音孔とを形成し、弾性体収納溝を形成して弾性体を設け、係合溝を形成して係合板を設け、該フレームに赤外線エミッタ収納溝を形成して赤外線エミッタを嵌設し、該ハウジングの背面の底端縁部に係合フレーム、を設け、該ハウジング内においてはデータ送信ケーブルでカメラヘッドと、集積回路と、制御回路板とを電気的に接続し、該制御回路板に録音スイッチキーと、ファンクションキーと、メモリカード収納溝集音マイクとを設け、
該ＣＭＯＳモジュールに外部からモニターが電気的に接続し、
該デジタル監視システムが、ＣＭＯＳカメラヘッドと、集積回路板と、メモリカードと、集音マイクと、赤外線エミッタとを含むことを特徴とする映像、音声を記録できるルームミラー。
【請求項２】
前記ルームミラーの背面に強化固定フレームを設けることを特徴とする請求項１に記載の映像、音声を記録できるルームミラー。
【請求項３】
前記フレームの上方に一つ、もしくは複数の赤外線エミッタ収納溝を形成することを特徴とする請求項１に記載の映像、音声を記録できるルームミラー。
【請求項４】
前記係合板の底端に係合溝を形成し、該係合板を該ハウジング後端に形成する係合溝に設けることを特徴とする請求項１に記載の映像、音声を記録できるルームミラー。
【考案の詳細な説明】
【技術分野】
【０００１】
この考案は、自動車用品のルームミラーに関し、特に、映像、音声を記録できるルームミラーに関する。
【背景技術】
【０００２】
目下、自動車を移動のためのツールとしてサービスを提供するサービス業が、産業構造において極めて高い比率で占めるようになってきた。自動車の車内は、運転者と乗客にとって隠蔽された空間である。よって、運者者が不良な行為を行った場合、運転者と乗客の間に紛糾が発生した場合、もしくは運転者が襲撃されたり、強盗に遭遇したりした場合、隠蔽された空間であるが故に第三者の人的証拠に乏しいという問題が存在する。また、紛糾を判断するための証拠は、当事者の一方的な叙述に過ぎず、これでは参考にしかできない。よって、双方の供述が異なる場合、判断の依拠とするのが難しくなる。よって、運転者と乗客との間に不信感が発生し、このためサービス業としてのサービスの品質向上が難しくなる。
【０００３】
また、運転者が襲撃されたり、強盗に遭遇したりした場合、犯行者の映像がないため逮捕することが難しくなり、仮に犯行者が逮捕されたとしても被害者に有利な証拠を提出することができなくなり、犯行者を取り逃がすこともある。
【０００４】
目下、市場には多くの種類のデジタル関しシステムが流通している。だが、自動車専用で、車内の映像、音声を記録するデジタル監視システムはない。このため、多くの人は師範されているカメラと監視システム本体を運転席の情報に儲け、車内の音声、映像を記録している。
【０００５】
しかしながら、カメラと監視システム本体を取り付けるには、多くの部品、アクセサリなどを必要とする。また、車内にデジタル監視装置と、必要とする充電機材などを設けて車内に配線すると、外観上雑然  とした感じがする。しかも、監視システム本体を運転席上方に設けると、走行時の運転者の視線に影響を与える。よって、運転者にとっても、乗客にとっても安全上の大問題となる。また、走行時に発生する振動によって、運転席上方に設けた監視システム本体の撮影した映像が揺れてはっきり見えなくなり、品質が悪くなる。また、犯行を実行しようとする者にとって監視システムの装置を設けた位置がはっきり見えた場合、犯行後に破壊したり、持ち去ったりして証拠を隠滅される恐れがある。
【０００６】
また、市販されるデジタル監視システムの装置本体は、そのほとんどが十分な光線のある場所ではじめて被写体を撮影することができる。よって、日暮れなど明るさが不十分な時、トンネルの中、もしくは夜間などは、夜間撮影用の機能を備えた撮影機器、設備であって、はじめてはっきり撮影することができる。
【考案の概要】
【考案が解決しようとする課題】
【０００７】
音声、映像を記録するための監視システムを内蔵したルームミラーを提供することを課題とする。
【０００８】
また、この考案は振動や光線不足などによって起きる画像品質の低下を抑えることができる監視システムを内蔵したルームミラーを提供することを課題とする。
【課題を解決するための手段】
【０００９】
そこで、本考案者はデジタル監視システムの自動車内への応用を目的とし、従来の装置の欠点に鑑み鋭意研究を重ねた結果、ルームミラーと、ＣＭＯＳモジュールと、デジタル監視システムとによってなり、該ルームミラーに、ＣＭＯＳカメラヘッドと、集積回路板と、メモリカードと、集音マイクと、赤外線エミッタとを含んでなるデジタル監視システムを内蔵させ、該ＣＭＯＳモジュールに外部からモニターを電気的に接続してなる映像、音声を記録できるルームミラーの構造によって課題を解決できる点に着眼し、係る知見に基づいて本考案を完成させた。
【００１０】
以下、この考案について具体的に説明する・
請求項１に記載する映像、音声を記録できるルームミラーは、ルームミラーと、ＣＭＯＳモジュールと、デジタル監視システムとによってなる映像、音声を記録できるルームミラーであって、
該ルームミラーは、ハウジングと、フレームと、鏡面とを含んでなり、該ハウジングには、メモリカード収納溝を形成してメモリカードスロットカバーを設けるとともに電源コード収納溝を設けて電源コード収納溝カバーを設け、かつキー溝と録音孔とを形成し、弾性体収納溝を形成して弾性体を設け、係合溝を形成して係合板を設け、該フレームに赤外線エミッタ収納溝を形成して赤外線エミッタを嵌設し、該ハウジングの背面の底端縁部に係合フレーム、を設け、該ハウジング内においてはデータ送信ケーブルでカメラヘッドと、集積回路と、制御回路板とを電気的に接続し、該制御回路板に録音スイッチキーと、ファンクションキーと、メモリカード収納溝集音マイクとを設け、
該ＣＭＯＳモジュールに外部からモニターが電気的に接続し、
該デジタル監視システムが、ＣＭＯＳカメラヘッドと、集積回路板と、メモリカードと、集音マイクと、赤外線エミッタとを含む。
【００１１】
請求項２に記載する映像、音声を記録できるルームミラーは、請求項１におけるルームミラーの背面に強化固定フレームを設ける。
【００１２】
請求項３に記載の映像、音声を記録できるルームミラーは、請求項１におけるフレームの上方に一つ、もしくは複数の赤外線エミッタ収納溝を形成する。
【００１３】
請求項４に記載する映像、音声を記録できるルームミラーは、請求項１における係合板の底端に係合溝を形成し、該係合板を該ハウジング後端に形成する係合溝に設ける。
【考案の効果】
【００１４】
この考案によれば、音声、映像を記録するための監視システムをルームミラーを内蔵することによって、監視システムを振動や衝撃から守ることができるとともに、監視システムを車内に設置するため場所を占めることなく、使用上の利便性と実用性が得られる。
【００１５】
また、この考案は振動や光線不足などによって起きる画像品質の低下を抑えることができるとともに、モニターに随時画像を再生でき、また随時充電することができるなど、使用上便利な機能を有し、使用上便利である。
【図面の簡単な説明】
【００１６】
【図１】この考案によるルームミラーの外観を示した斜視図である。
【図２】この考案によるルームミラーを正面側から見た外観と内部構造を示した説明図である。
【図３】この考案によるルームミラーを背面側から見た外観と内部構造を示した説明図である。
【図４】この考案におけるメモリカードスロットとメモリカードを示した説明図である。
【図５】この考案における係合板と弾性体の関係を示した説明図である。
【図６】この考案によるルームミラーの使用態様を示した説明図である。
【図７】この考案におけるデジタル監視システムの構造を示したブロック図である。
【考案を実施するための形態】
【００１７】
図１から４に開示するように、この考案による  映像、音声を記録できるルームミラーは、ルームミラー１０と、ＣＭＯＳモジュールと、デジタル監視システム４０とによって構成する。デジタル監視システム４０はルームミラー１０に内蔵させる。よって、カメラヘッド４２は鏡面１３を介して外部を撮影する。
【００１８】
ルームミラー１０は、ハウジング１１と、フレーム１２と、鏡面１３とを含んでなり、ハウジング１１には、メモリカード収納溝１５を形成してメモリカードスロットカバー１４を設ける。また、電源コード収納溝１８を設けて電源コード収納溝カバー１７を設ける。また、キー溝１６と、録音孔１９とを形成する。また、弾性体収納溝２１を形成して弾性体２０を設ける。また、係合溝２４を形成して係合板２３を設ける。さらに、固定強化フレーム２２を設ける。
【００１９】
フレーム１２には、赤外線エミッタ収納溝２５を複数形成する。
【００２０】
デジタル監視システム４０は、集積回路４１と、カメラヘッド４２と、キー４４と、録音スイッチキー５０と、赤外線エミッタ５１と、ＡＶ出力端子５４とを含んでなる。    
【００２１】
上述する、映像、音声を記録できるルームミラーを組み立てる場合は、赤外線エミッタ５１をフレーム１２に形成された赤外線エミッタ収納溝２５に嵌設し、夜間、トンネル内、もしくは光線不足の環境において、赤外線エミッタが自動的に光線を補うように構成する。よって、撮影された映像は光線不足によって品質が劣ることがない。また、鏡面１３をフレーム１２の背面に形成した階段状の溝に嵌着してルームミラー１０の前半部を構成する。
【００２２】
内蔵式のデジタル監視システム４０のカメラヘッド４２は、ネジでハウジング１１内に固定し、データ送信ケーブルでカメラヘッド４２と、集積回路４１と、制御回路板７０とを電気的に接続する。制御回路板４１には録音スイッチキー５０と、ファンクションキー４３を設ける。ファンクションキー４３はＤ１をＭＥＮＵとし、Ｄ２をＵＰとし、Ｄ３をＤＯＷＮとし、Ｄ４をＥＮＴＥＲとする四種類の機能に分ける。また、ファンクションキー４３上にはキー４４を設ける。よって、ハウジング１１の外部からキー４４を押してファンクションキー４３を操作することができる。
【００２３】
組み立てが完成した内蔵式のデジタル監視システム４０はハウジング１１内にネジで固定する。よって、自動車の走行中にデジタル監視システム４０が車内にぶつかって取り付け位置がずれたり、損傷を受けて壊れたりすることを防ぐことができる。
【００２４】
ハウジング１１の底部には録音孔１９を形成する。デジタル監視システム４０の集音マイク５２は録音孔１９の上方に設ける。車内に発生した音声は録音孔１９から集音マイク５２に伝わって録音される。
【００２５】
キー４４を取り付けたファンクションキー４３は、使用者が外部から押し圧してファンクションキー４３を操作することによって、必要とする機能をメニューから選択でき、録音スイッチキー５０を操作することによって音声を録音するか否か、切り換えて選択することができる。
【００２６】
メモリカードスロット５３はメモリカード収納溝１５内に設ける。外部から挿入するメモリカード８０は、メモリカード収納溝１５内に設けたメモリカードスロット５３内に挿入する。メモリカード８０の容量によって録画する時間を長くすることができる（図４参照）。さらに、メモリカードスロットカバー１４をメモリカード収納溝５３上に嵌設することによって、埃などが進入して回路の損傷を招く事態を防ぐことができる。
【００２７】
デジタル監視システム４０の電源コード４６は、電源コード収納溝１８内を通過する。また、電源コード収納溝カバー１７を電源コード収納溝１８に嵌着することによって、埃などの進入を防ぐ。車内のシガレットライターに電源プラグ８１を挿入して電力を補充する（図７参照）。よって、長時間持続して録画することができる。
【００２８】
ねじりバネである弾性体２０は、弾性体収納溝２１内に設ける。即ち、弾性体２０の両端の脚部２７を係合板２３の底端の係合溝２８内にそれぞれ係合させ、二つの係合板２３を組み立てが完了したハウジング１１の後端に形成した２つの係合溝２４内に設け、係合板２３を制御することによって、係合板２３が上下方向に挟持する作用を有するように構成する。
【００２９】
それぞれの部材などをハウジング１１内に固定した後、フレーム１２の側面に形成した弾性係合突起をハウジング１１の係合溝６２に係合させてフレーム１２をハウジング１１に固定し、かつビス６０でハウジング１１の後端からフレーム１２を螺着して組み立てを関せさせる。
【００３０】
デジタル監視システム４０が録画した映像は、制御回路板７０の底部に設けたＡＶ出力端子５４と、外部接続のＡＶケーブルを介して液晶モニターで再生される。また、デジタル監視システムの録画した画像がリードオンリーであって、内容を変更することができない。
【００３１】
図３に開示するように、ハウジング１１の背面の底端縁部には係合フレーム２６を設ける。係合板２３は弾性体２０の付勢力によって、ハウジング１１の背面の一端に突っ張るような状態で固定される。係合板２３底部の係合溝２８は弾性体２０に接続する。係合板２３の上下の移動を制御して係合フレーム２６と挟持の動作を行なう。このため、挟持空間Ａを各種異なる高さ、サイズ規格のルームミラーに適用させることができる。
【００３２】
また、ハウジング１１の後方には、強化固定フレーム２２を設ける。このため、さらにルームミラーを車内に予め設けられたルームミラーに、さらにしっかりと固定することができる。よって、走行中にルームミラー１０が振動、衝撃などで外れて落ちることを防ぐことができる。
【００３３】
図５、６に開示するように、この考案による装置を、車内に予め設けられたルームミラーに取り付ける場合は、予めルームミラー１０の係合板２３を上方に移動させ、ルームミラー１０を車内に予め設けられたルームミラー上に嵌着する。この場合、車内に予め設けられたルームミラーは係合フレーム２６と係合板２３との間に係合させ、さらに、上方に移動させた係合板２３を開放する。この場合、係合板２３に接続する弾性体２０は、弾性体２０の収縮によって係合板２３を弾性的に復帰させて車内に予め設けられたルームミラーに係合させ、この考案によるルームミラー１０を車内に予め設けられたルームミラーに挟持する。
【００３４】
図７に開示するように、デジタル監視システム４０には相補型金属酸化膜半導体（ＣＭＯＳ）を有するカメラヘッド４２が設けられている。相補型金属酸化膜半導体はデジタル撮影データの中に光線の変化を記録できる半導体である。ＣＭＯＳモジュールに外部からモニターに接続すると、はじめて使用する場合設定を変更する必要があれば、デジタル監視システム４０は該ＣＭＯＳモジュールを介して設定を行なうことができる。たとえば、時間、言語、メモリカード、映像再生、映像削除などの機能について、すでに設けられた４つのファンクションキーを操作することによって設定値を入力する。
【００３５】
また、図７に開示するように、この考案によるデジタル監視システムは、記録する全ての映像の時間と、自動車のエンジンを切った後で録画した時間を記録するＲＣＴタイムレコーダ４５を具える。よって、事後特定の映像を検索する場合に、効率を高めることができる。また、デジタル監視システム４０は録画した映像、音声を内部記憶体に記録することができる。またＡＶケーブルを介して録画した内容をＳＤカードなどの外部接続の記憶体に保存することもできる。また、再生プログラムを利用してメモリカード８０に保存した映像を再生することができる。もしくはＣＭＯＳモジュールを介して直接再生してもよい。
【００３６】
デジタル監視システムは、電源を車内の電力供給元に転換して充電させてもよい。即ち、自動車を起動させると自動的に充電するようにして。常に充電装置の取り外しを行なう必要がなくなり、デジタル監視システムを作動させる過程においても充電することができ、録画が予期せず中断することを防ぐことができる。
【符号の説明】
【００３７】
１０              ルームミラー
１１              ハウジング
１２              フレーム
１３              鏡面
１４              メモリカードスロットカバー
１５              メモリカード収納溝
１６              キー溝
１７              電源コード収納カバー
１８              電源コード収納溝
１９              録音孔
２０              弾性体
２１              弾性体収納溝
２２              固定強化フレーム
２３              係合板
２５              赤外線エミッタ収納溝
２６              係合フレーム
２８              係合溝
４０              デジタル監視システム
４１              集積回路
４２              カメラヘッド
４３              ファンクションキー
４４              キー
４６              電源コード
５０              録音スイッチキー
５１              赤外線エミッタ
５２              集音マイク
５３              メモリカードスロット
５４              ＡＶ出力端子
６０              ビス
６２              係合溝
７０              制御回路板
８０              メモリカード
８１              電源プラグ
【図１】
0003151687.tif 000003
【図２】
0003151687.tif 000004
【図３】
0003151687.tif 000005
【図４】
0003151687.tif 000006
【図５】
0003151687.tif 000007
【図６】
0003151687.tif 000008
【図７】
0003151687.tif 000009